【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】  酸化還元酵素、酸化剤、結合剤及び少なくとも１０％（ｗ／ｗ）の水を含んでなる、保存処理された水性塗料組成物。
【請求項２】  酸化還元酵素、酸化剤及び生物ポリマーを含んでなる、掘削地からの石油及び／又は天然ガスの回収において用いるための、掘削液、仕上げ液、破砕液、注入液、防止ゲル及び改修液からなる群から選択される、保存処理された水性液体組成物。
【請求項３】  前記酸化還元酵素がラッカーゼである、請求項１又は２の組成物。
【請求項４】  前記ラッカーゼが、リゾクトニア属(Rhizoctonia) 、コプリヌス属(Coprinus) 、シタリジウム属(Schytalidium)、ミセリオフトラ属(Myceliophthora) 及びポリポルス属(Polyporus) からなる群から選択される菌株から得られるものである、請求項３の組成物。
【請求項５】  前記酸化還元酵素がペルオキシダーゼである、請求項１又は２の組成物。
【請求項６】  前記ペルオキシダーゼがコプリヌス属の菌株から得られるものである、請求項５の組成物。
【請求項７】  前記酸化還元酵素がハロペルオキシダーゼである、請求項１又は２の組成物。
【請求項８】  前記ハロペルオキシダーゼが、クルブラリア属(Curvularia)、ドレクスレラ属(Drechslera)、デンドリフィエラ属(Dendryphiella) 、アルテルナリア属(Alternaria)、ファエオトリココニス属(Phaeotrichoconis)及びゲニクロスポリウム属(Geniculosporium) の中から選択される菌株から得られるものである、請求項７の組成物。
【請求項９】  前記ハロペルオキシダーゼが、クルブラリア・ベルクロ（登録商標）サ(Curvularia verruculosa) CBS 147.63 、クルブラリア・ベルクロ（登録商標）サCBS 444.70、クルブラリア・イナエクアリス(Curvularia inaequalis) CBS 102.42、ドレクスレラ・ハルツレビ(Drechslera hartlebii) DSM 13444、デンドリフィエラ・サリナ(Dendryphiella salina) DSM 13443、ファエオトリココニス・クロタラリエ(Phaeotrichoconis crotalarie) DSM 13441及びゲニクロスポリウム属菌種DSM 13442の中から選択される菌株から得られるものである、請求項８の組成物。
【請求項１０】  少なくとも１つの増強剤を更に含んでなる、請求項１〜９のいずれか１項に記載の組成物。
【請求項１１】  ２つ以上の増強剤を含んでなる、請求項１０の組成物。
【請求項１２】  前記増強剤が有機化合物である、請求項１０又は１１の組成物。
【請求項１３】  前記有機増強剤が下記の式：
【化１】
2002544315.tif 000001
（式中、
Ａは、−Ｄ、−ＣＨ＝ＣＨ−Ｄ、−ＣＨ＝ＣＨ−ＣＨ＝ＣＨ−Ｄ、−ＣＨ＝Ｎ−Ｄ、−Ｎ＝Ｎ−Ｄ、又は−Ｎ＝ＣＨ−Ｄから選択される基であり、ここで、Ｄは、−ＣＯ−Ｅ−、−ＳＯ２−Ｅ、−Ｎ−ＸＹ及び−Ｎ+−ＸＹＺから成る群から選択され、ここで、Ｅは、−Ｈ、−ＯＨ、−Ｒ、又は−ＯＲでよく、そしてＸ、Ｙ及びＺは、同一でも異なってもよく、−Ｈ及び−Ｒから選択され、ただしＲはＣ1−Ｃ16アルキルであり、このアルキルは、飽和でも不飽和でもよく、分鎖状でも非分鎖状でもよく、そして場合により、カルボキシ、スルホ又はアミノ基により置換されてもよく；そして、Ｂ及びＣは、同一でも異なってもよく、ＣmＨ2m+1から選択され、ただしｍ＝１、２、３、４又は５である）；
【化２】
2002544315.tif 000002
（式中、
ＢはＨ、又は分鎖状若しくは非分鎖状Ｃ1−Ｃ16アルキルであり、ただし前記アルキルはヒドロキシ、エーテル又はエステル基を有してもよく、そしてＲ2、Ｒ3、Ｒ4、Ｒ5及びＲ6はＨ、ＯＨ、ＮＨ2、ＣＯＯＨ、ＳＯ3Ｈ、分鎖状若しくは非分鎖状Ｃ1−Ｃ12アルキル、アシル、ＮＯ2、ＣＮ、Ｃｌ、ＣＦ3、ＮＯＨ−ＣＯ−フェニル、Ｃ1−Ｃ6−ＣＯ−ＮＯＨ−Ａ、ＣＯ−ＮＯＨ−Ａ、ＣＯＲ12、フェニル−ＣＯ−ＮＯＨ−Ａ、ＯＲ7、ＮＲ8Ｒ9、ＣＯＯＲ10、又はＮＯＨ−ＣＯ−Ｒ11であり、ここでＲ７、Ｒ8、Ｒ9、Ｒ10及びＲ11は、分鎖状若しくは非分鎖状Ｃ1−Ｃ12アルキル又はアシルである）；そして
【化３】
2002544315.tif 000003
（式中、
Ｒ1、Ｒ2、Ｒ3、Ｒ4は、水素、ハロゲン、ヒドロキシ、ホルミル、カルボキシ及びその塩とエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、及びそれらの塩とエステルからなる群から独立に選択され、このＲ1、Ｒ2、Ｒ3、Ｒ4はＲ5によって置換されてよく、ここでＲ5は水素、ハロゲン、ヒドロキシ、ホルミル、カルボキシ及びその塩とエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、及びそれらの塩とエステルを表し、［Ｘ］は、（−Ｎ＝Ｎ−）、（−Ｎ＝ＣＲ6−）m、（−ＣＲ6＝Ｎ−）m、（−ＣＲ6＝ＣＲ7−）m、（−ＣＲ6＝Ｎ−ＮＲ７−）、（−Ｎ＝Ｎ−ＣＨＲ6−）、（−Ｎ＝ＣＲ6−ＮＲ7−）、（−Ｎ＝ＣＲ6−ＣＨＲ7−）、（−ＣＲ６＝Ｎ−ＣＨＲ７−）、（−ＣＲ6＝ＣＲ7−ＮＲ8−）、及び（−ＣＲ6＝ＣＲ7−ＣＨＲ8−）から選択される基であり、ここでＲ6、Ｒ7及びＲ8は、相互に独立して、Ｈ、ＯＨ、ＮＨ２、ＣＯＯＨ、ＳＯ３Ｈ、Ｃ1-6−アルキル、ＮＯ2、ＣＮ、Ｃｌ、Ｂｒ、Ｆ、ＣＨ2ＯＣＨ3、ＯＣＨ3、ＣＯＯＣＨ3から選択され、そしてｍは１又は２である）
の中から選択される、請求項１２に記載の組成物。
【請求項１４】  前記Ｒが、Ｃ1−Ｃ8アルキルである、請求項１３に記載の組成物。
【請求項１５】  前記アリールが、フェニルである、請求項１３又は１４に記載の組成物。
【請求項１６】  １〜１０００μＭの前記有機増強剤を含んでなる、請求項１３〜１５のいずれか１項に記載の組成物。
【請求項１７】  前記有機増強剤が、下記の式：
【化４】
2002544315.tif 000004
（式中、
置換基Ｒ1及びＲ2は同一でも異なってもよく、ここで、Ｒ1及びＲ2は、下記の基：水素、ハロゲン化物、スルフェート、フェニル、１〜１４個の炭素原子を有する直鎖又は分鎖状アルキル、又は１〜１４個の炭素原子を有する直鎖又は分鎖状置換アルキル基のいずれかでよく、ただし前記置換基はＣ1〜Ｃ14に位置し、そして下記の基：ヒドロキシ、ハロゲン、ホルミル、カルボキシ、カルボキシエステル、カルボキシ塩、カルバモイル、スルホ、スルホエステル、スルホ塩、スルファモイル、ニトロ、アミノ、フェニル、Ｃ1−Ｃ5アルコキシ、カルボニル−Ｃ1−Ｃ5アルキル、アリール−Ｃ1−Ｃ5アルキルのいずれかを表し；Ｒ1及び／又はＲ2が、カルバモイル、スルファモイル、及びアミノ基から選択される基を含む場合、これらの基は未置換でも、あるいは置換基Ｒ3により１又は２回さらに置換されてもよく；Ｒ1及び／又はＲ2が、フェニル基を含む場合、それは、未置換でも、あるいは１又は複数の置換基Ｒ3によりさらに置換されてもよく；Ｒ1及び／又はＲ2が、Ｃ1−Ｃ5アルコキシ、カルボニル−Ｃ1−Ｃ5−アルキル及びアリール−Ｃ1−Ｃ5−アルキルから選択される基を含む場合、これらの基は、飽和でも不飽和でもよく、分鎖状でも非分鎖状でもよく、そして未置換でも、あるいは１又は複数の置換基Ｒ3によりさらに置換されてもよく、ここで、Ｒ3は、下記の基：ハロゲン、ヒドロキシ、ホルミル、カルボキシ、カルボキシエステル、カルボキシ塩、カルバモイル、スルホ、スルホエステル、スルホ塩、スルファモイル、ニトロ、アミノ、フェニル、アミノアルキル、ピペリジノ、ピペラジニル、ピロリジン−１−イル、Ｃ1−Ｃ5アルキル、Ｃ1−Ｃ5アルコキシのいずれかを表し、Ｒ3がカルバモイル、スルファモイル、及びアミノから選択される基を含む場合、これらの基は、未置換でも、あるいはヒドロキシ、Ｃ1−Ｃ5アルキル、Ｃ1−Ｃ5−アルコキシにより１又は２回さらに置換されてもよく；Ｒ3がフェニルを含む場合、この基は、更に、下記の基：ハロゲン、ヒドロキシ、アミノ、ホルミル、カルボキシ、カルボキシエステル、カルボキシ塩、カルバモイル、スルホ、スルホエステル、スルホ塩、及びスルファモイルの中の１又は複数の基によりさらに置換されてもよく；Ｒ3がＣ1−Ｃ5−アルキル及びＣ1−Ｃ5−アルコキシから選択される基を含む場合、これらの基は、飽和でも不飽和でもよく、分鎖状でも非分鎖状でもよく、そして、下記の基：ハロゲン、ヒドロキシ、アミノ、ホルミル、カルボキシ、カルボキシエステル、カルボキシ塩、カルバモイル、スルホ、スルホエステル、スルホ塩及びスルファモイルのいずれかによって１又は２回さらに置換されてもよく；あるいは、Ｒ1とＲ2とが一緒になり、基−Ｂ−を形成してもよく、ここでＢは、下記の基：（−ＣＨＲ3−Ｎ＝Ｎ−）、（−ＣＨ＝ＣＨ−）n又は（−ＣＨ＝Ｎ−）nのいずれかを表し、ただしｎは１〜３の整数であり、そしてＲ3は前記の定義通りの置換基である）
で表わせるアンモニウム増強剤である、請求項１２の組成物。
【請求項１８】  ０．０１〜１０００ｍＭの前記アンモニウム増強剤を含んでなる、請求項１７の組成物。
【請求項１９】  前記酸化還元酵素がハロペルオキシダーゼであり、そして前記増強剤が、無機ハロゲン化物イオンから選択される無機化合物である、請求項１０又は１１の組成物。
【請求項２０】  ０．０５〜５００ｍＭの塩化物イオン及び０．０１〜１００ｍＭの臭化物イオン又はヨウ化物イオンの中から選択される無機ハロゲン化物イオンを含んでなる、請求項１９の組成物。
【請求項２１】  組成物１リットルあたり０．０１〜１０００ｍｇの酵素タンパク質を含んでなる、請求項１〜２０のいずれか１項に記載の組成物。
【請求項２２】  １０〜９０％（ｗ／ｗ）の水を含んでなる、請求項１〜２１のいずれか１項に記載の組成物。
【請求項２３】  ５〜５０％（ｗ／ｗ）の結合剤を含んでなる、請求項１〜２２のいずれか１項に記載の組成物。
【請求項２４】  ０．００１〜５００ｍＭの酸化剤を含んでなる、請求項１〜２３のいずれか１項に記載の組成物。
【請求項２５】  溶剤、顔料、増量剤、増粘剤、分散剤、抑泡剤及び乾燥剤の中から選択される１又は複数の成分を更に含んでなる、請求項１〜２４のいずれか１項に記載の組成物。